(57)【要約】【課題】外部から装着する部材を用いることなく抜け止めを行うと共に無段階で位置調整できる止水栓を備えた便器給水装置およびこれを備えた便器装置の提供。【解決手段】止水栓は、止水栓本体３２がナット部材３１から離脱することを防止する抜け止め手段７０を有し、抜け止め手段７０は、止水栓本体３２の内面５１に凹設され方向ＡＢにおいて幅ｗ２を有する凹部７２と、ナット部材３１の外面４１に突設され方向ＡＢにおいて幅ｗ２より小さな幅ｗ１を有し凹部７２に対向した凸部７１とを有し、凹部７２を、方向Ａにおける下流側が凸部７１より小径となった段部７３と、段部７３よりも方向Ａにおける上流側に位置しこの上流側が凸部７１より小径となった段部７４とによって形成し、止水栓本体３２は、内面５１に係止溝６６を有し、段部７４を、係止溝６６に部材６５を嵌合することによって形成した便器給水装置。【選択図】図８
2008002157.tif 000002
【特許請求の範囲】
【請求項１】
給水管からの水を便器に供給する便器給水装置であって、
給水管に取付けられた止水栓と、
前記止水栓と便器との間に接続された接続管とを備え、
前記止水栓は、給水管に接続されたナット部材と、前記接続管に接続され、前記ナット部材の外面をその内面に収容し前記ナット部材に相対移動可能に支持された止水栓本体とを備えた便器給水装置において、
前記止水栓は、前記止水栓本体が前記ナット部材から離脱することを防止する抜け止め手段を有しており、
前記抜け止め手段は、前記止水栓本体の内面に凹設されこの止水栓本体が前記ナット部材に対して進退する方向において所定の幅を有する凹部と、前記ナット部材の外面に突設され前記進退する方向において前記所定の幅より小さな幅を有し前記凹部に対向した凸部とを有し、
前記凹部を、前記ナット部材を前記止水栓本体に進入させる方向における下流側が前記凸部よりも小径となった第１の段部と、前記第１の段部よりも前記進入させる方向における上流側に位置し前記凸部よりも小径となった第２の段部とによって形成し、
前記止水栓本体は、前記内面に係止溝を有し、前記係止溝に環状の部材を嵌合することによって前記第２の段部を形成した便器給水装置。
【請求項２】
前記環状の部材は、拡開する向きの弾性を有し、
前記ナット部材は、前記外面に、前記凸部よりも前記上流側に位置する溝部を有し、
前記溝部内に前記環状の部材を収容した状態で前記ナット部材を前記進入させる方向に移動し、前記環状の部材を前記係止溝に嵌合して装着することによって前記第２の段部を構成したことを特徴とする請求項１記載の便器給水装置。
【請求項３】
前記止水栓本体は、前記内面の前記上流側端部に、前記上流側に向けて拡開するテーパ部を有することを特徴とする請求項２記載の便器給水装置。
【請求項４】
前記止水栓本体は、給水管から前記接続管に通ずる給水路を開閉する止水弁体と、回動操作により前記止水弁体を駆動して前記給水路を開閉する操作体とを有し、前記操作体は回動操作の際に定位置で回動されることを特徴とする請求項１ないし３の何れか１つに記載の便器給水装置。
【請求項５】
前記接続管は、前記止水栓本体に固定するための袋ナットを有し、前記袋ナットの内周面は、前記止水栓本体側に向けて拡開するテーパ部を有することを特徴とする請求項１ないし４の何れか１つに記載の便器給水装置。
【請求項６】
請求項１ないし５の何れか１つに記載の便器給水装置と、前記便器給水装置によって給水される便器とを備えた便器装置において、前記便器が、前記便器給水装置を隠蔽する隠蔽部を有する便器装置。
【発明の詳細な説明】
【技術分野】
【０００１】
本発明は、止水栓の位置調整が可能な便器給水装置およびこの便器給水装置を備えた便器装置に関する。
【背景技術】
【０００２】
従来から、〔特許文献１〕に記載されているように、止水栓の位置調整が可能な便器給水装置が知られている。止水栓の位置調整を可能としたのは、給水管と便器との相対位置が、家屋等の、便器設置箇所ごとに異なるためである。位置調整が可能である止水栓は、給水管から離脱して漏水しないように構成する必要がある。そこで、〔特許文献１〕では、位置調整を行った後にその位置で固定するため、給水管と止水栓とに外部から嵌合するリングを用いている。
【特許文献１】特許第２７９６６６０号公報
【発明の開示】
【発明が解決しようとする課題】
【０００３】
しかしながら、止水栓は一般に便器の奥側の狭い空間に位置するため、かかるリングを用いると、リングを嵌合するための作業空間が小さいことからリングを正常に装着できない場合があり、漏水が生じる恐れがあった。また、リングを装着する空間を確保することが困難である場合があり、この場合にも漏水が生じる恐れがある。さらに、給水管、止水栓ともに、リングの嵌合位置が予め決められていることから、止水栓の位置決めを段階的にしか行なうことができないため、リングを嵌合できない場合があり、この場合にも漏水が生じる恐れがある。
【０００４】
そこで、本発明は、外部から装着する部材を用いることなく抜け止めを行うとともに無段階で位置調整できる止水栓を備えた便器給水装置およびこれを備えた便器装置を提供することを目的とするものである。
【課題を解決するための手段】
【０００５】
上記目的を達成するため、請求項１記載の発明は、給水管からの水を便器に供給する便器給水装置であって、給水管に取付けられた止水栓と、前記止水栓と便器との間に接続された接続管とを備え、前記止水栓は、給水管に接続されたナット部材と、前記接続管に接続され、前記ナット部材の外面をその内面に収容し前記ナット部材に相対移動可能に支持された止水栓本体とを備えた便器給水装置において、前記止水栓は、前記止水栓本体が前記ナット部材から離脱することを防止する抜け止め手段を有しており、前記抜け止め手段は、前記止水栓本体の内面に凹設されこの止水栓本体が前記ナット部材に対して進退する方向において所定の幅を有する凹部と、前記ナット部材の外面に突設され前記進退する方向において前記所定の幅より小さな幅を有し前記凹部に対向した凸部とを有し、前記凹部を、前記ナット部材を前記止水栓本体に進入させる方向における下流側が前記凸部よりも小径となった第１の段部と、前記第１の段部よりも前記進入させる方向における上流側に位置し前記凸部よりも小径となった第２の段部とによって形成し、前記止水栓本体は、前記内面に係止溝を有し、前記係止溝に環状の部材を嵌合することによって前記第２の段部を形成した便器給水装置にある。
【０００６】
この構成によれば、外部から装着する部材を用いることなく抜け止めを行うことができるとともに無段階で位置調整をおこなうことができる止水栓を備え、漏水を防止できるとともに取り付け及び位置調整を行うための空間が小さくて済み、また位置調整を無段階に行うことも相俟って、操作性、使用感が極めて優れた便器給水装置となっている。
【０００７】
請求項２記載の発明は、前記環状の部材は、拡開する向きの弾性を有し、前記ナット部材は、前記外面に、前記凸部よりも前記上流側に位置する溝部を有し、前記溝部内に前記環状の部材を収容した状態で前記ナット部材を前記進入させる方向に移動し、前記環状の部材を前記係止溝に嵌合して装着することによって前記第２の段部を構成したことを特徴とする。
【０００８】
この構成によれば、組み立てが容易であり、抜け止め手段を容易に構成することができる。
【０００９】
請求項３記載の発明は、前記止水栓本体は、前記内面の前記上流側端部に、前記上流側に向けて拡開するテーパ部を有することを特徴とする。
【００１０】
この構成によれば、ナット部材を容易に止水栓本体に挿入することができ組み立てがさらに容易となる。
【００１１】
請求項４記載の発明は、前記止水栓本体は、給水管から前記接続管に通ずる給水路を開閉する止水弁体と、回動操作により前記止水弁体を駆動して前記給水路を開閉する操作体とを有し、前記操作体は回動操作の際に定位置で回動されることを特徴とする。
【００１２】
この構成によれば、位置調整を行うための空間がさらに小さくて済み、操作性、使用感をさらに向上することができる。
【００１３】
請求項５記載の発明は、前記接続管は、前記止水栓本体に固定するための袋ナットを有し、前記袋ナットの内周面は、前記止水栓本体側に向けて拡開するテーパ部を有することを特徴とする。
【００１４】
この構成によれば、組み立てが容易であり、接続管を容易に固定することができる。
【００１５】
請求項６記載の発明は、請求項１ないし５の何れか１つに記載の便器給水装置と、前記便器給水装置によって給水される便器とを備えた便器装置において、前記便器が、前記便器給水装置を隠蔽する隠蔽部を有する便器装置にある。
【００１６】
この構成によれば、外部から装着する部材を用いることなく抜け止めを行うことができるとともに無段階で位置調整をおこなうことができる止水栓を備え、漏水を防止できるとともに取り付け及び位置調整を行うための空間が小さくて済み、また位置調整を無段階に行うことも相俟って、操作性、使用感が極めて優れた便器給水装置を、使用者から視認しにくい態様で備え、意匠性に優れた便器装置となっている。
【発明の効果】
【００１７】
本発明によれば、外部から装着する部材を用いることなく抜け止めを行うことができるとともに無段階で位置調整をおこなうことができる止水栓を備え、漏水を防止できるとともに取り付け及び位置調整を行うための空間が小さくて済み、また位置調整を無段階に行うことも相俟って、操作性、使用感に極めて優れた便器給水装置及びかかる便器給水装置を備え意匠性に優れた便器装置を提供することができる。
【発明を実施するための最良の形態】
【００１８】
以下に、本発明の実施例について図面を参照しながら説明する。
【００１９】
図１、図２に本発明を適用した便器装置の概略を示す。図１は便器装置全体の外観を示している。図２は便器装置の一部を省略した外観を示している。
【００２０】
図１、図２に示すように、便器装置１００は、温水洗浄装置（図示せず）を内蔵した便器１０と、給水管１１からの水を便器１０に供給する便器給水装置２０とを有している。図１に示すように、便器１０は、背部側に着脱自在の一対のカバー１２を有している。
【００２１】
カバー１２と、便器１０の本体との間の空間は、便器給水装置２０を隠蔽する隠蔽部１３となっている。隠蔽部１３は、便器給水装置２０を使用者から視認しにくくしており、便器装置１００全体をすっきりした外観とし、高い意匠性を発揮するものである。
【００２２】
図３に便器給水装置２０の外観を示す。図３に示すように、便器給水装置２０は、給水管１１に取付けられた止水栓３０と、止水栓３０と便器１０との間に接続された接続管１４とを備えている。給水管１１は、床面に突設された継ぎ手１５と、継ぎ手１５に嵌合し床面上に載置されたカバー１６とを有している。
【００２３】
止水栓３０は、給水管１１に接続された管状のナット部材３１と、接続管１４に接続され、ナット部材３１に嵌合した管状の止水栓本体３２と、止水栓本体３２の略全体を覆う断熱部材１７とを有している。
【００２４】
断熱部材１７は、給水管１１から供給され便器１０に向けて止水栓３０内を通る水の温度が外気温に比べて低いときに止水栓３０が結露することを防止したり、止水栓３０を保護したりする等の目的で取付けられている。
【００２５】
図４、図５に止水栓３０の断面図を示す。図６に便器給水装置２０の断面図を示す。図７に止水栓３０の分解斜視図を示す。図８にナット部材３１と止水栓本体３２との嵌合部分の拡大分解図を示す。
【００２６】
図４は止水栓本体３２を、ナット部材３１を止水栓本体３２に進入させる方向Ｂに移動させた状態言い換えると短縮した状態を示しており、図５、図６は止水栓本体３２をナット部材３１から遠ざける方向Ａに移動させた状態言い換えると伸長した状態を示している。なお、止水栓３０は、図４に示す状態で出荷されるものであり、必要に応じて図５、図６に示す状態で設置され使用されるものである。
【００２７】
これらの図に示すように、ナット部材３１は、その外周面の一部である外面４１を止水栓本体３２内に収容されるようになっており、外面４１に、２本のＯリング４２を備えている。
【００２８】
Ｏリング４２を２本備えているのは、後述するように止水栓本体３２をナット部材３１に嵌合して止水栓３０を組み立てる際のねじれを考慮したものであり、何れか一方がねじれても、漏水防止が確保される。このことは後述するＯリング５７、５９についても同様である。
【００２９】
止水栓本体３２は、略円筒状をなすその内周面４３の一部である内面５１において外面４１を嵌合した本体５２と、内面５１に嵌合した環状の部材としてのＣリング６５と、本体５２の、内面５１と反対側の端部から挿入された止水弁体５３と、止水弁体５３の端面に嵌合した硬質ゴム製の弁座パッキン５４と、弁座パッキン５４を止水弁体５３に固定するためのボルト５５及びナット５６とを有している。
【００３０】
止水栓本体３２はまた、止水弁体５３の周面に嵌合した２本のＯリング５７と、その一端が止水弁体５３に内嵌する態様で螺合するスピンドル５８と、スピンドル５８の他端側の周面に嵌合した２本のＯリング５９とを有している。
【００３１】
止水栓本体３２はまた、スピンドル５８を挿通した状態で止水弁体５３及びスピンドル５８を回転自在に内嵌したスピンドルガイド６０と、スピンドル５８とスピンドルガイド６０との間に介在した座金６１と、スピンドル５８を方向Ａにおいてスピンドルガイド６０に位置決めした止め輪６２と、本体５２の、内面５１の反対側の端部に位置する操作体としてのハンドル６３と、ハンドル６３をスピンドルガイド６０に固定するトラス小ネジ６４とを有している。
【００３２】
止水栓本体３２はまた、接続管１４が取付けられる管状の接続部４６と、内周面４３に連通して接続部４６内に形成された内周面４７とを有している。接続部４６は方向Ａに対して垂直な方向に突設されている。内周面４３、４７は、給水管１１から接続管１４に通ずる給水路を構成している。
【００３３】
止水栓３０は、図８に示すように、止水栓本体３２がナット部材３１から離脱することを防止する抜け止め手段７０を備えている。図８において、符号６６は、内面５１に凹設され後述する第２の段部７４を形成するための係止溝を示している。
【００３４】
図８においてＣリング６５を仮想線で示しているのは、後述するように、Ｃリング６５は、止水栓本体３２をナット部材３１に取付けることによって係止溝６６に嵌合して装着するためであり、かかる仮想線は、装着された状態のＣリング６５を示している。
【００３５】
抜け止め手段７０は、止水栓本体３２がナット部材３１に対して進退する方向ＡＢにおいて、所定の幅ｗ１を有するようにナット部材３１の外面４１に突設された凸部７１と、方向ＡＢにおいて凸部７１の幅ｗ１よりも大きな幅ｗ２を有するように止水栓本体３２の内面５１に凹設された凹部７２とを有している。このように、凸部７１の幅ｗ１は凹部７２の幅ｗ２よりも小さくなっている。
【００３６】
凹部７２は、方向Ａにおける下流側が凸部７１よりも小径となった第１の段部７３と、方向Ａにおいて第１の段部７３よりも上流側に位置し同方向における上流側が凸部７１よりも小径となった第２の段部７４とによって形成されている。
【００３７】
凸部７１は凹部７２内に進入しており、第１の段部７３と第２の段部７４との間で移動可能であって、この移動範囲にわたって凹部７２に対向している。
【００３８】
第２の段部７４は、係止溝６６において内面５１に固定したＣリング６５によって形成されている。このため、Ｃリング６５の太さは、係止溝６６の深さよりも大きいものとなっているとともに、係止溝６６から露出した部分において凸部７１と当接する太さとされている。
【００３９】
内面５１の、方向Ａにおける上流側の端部は、方向Ａにおける上流側に向けて拡開するテーパ部７８となっている。
【００４０】
凸部７１は、方向Ａにおける下流側が小径となった第１の段部７５と、方向Ａにおいて第１の段部７５よりも上流側に位置し同方向における上流側が小径となった第２の段部７６とを有している。
【００４１】
ナット部材３１は、外面４１に、方向Ａにおいて凸部７１よりも上流側に位置する溝部７７を有している。溝部７７は、方向Ａにおいて第２の段部７６よりも上流側に位置している。溝部７７におけるナット部材３１の径は、第２の段部７６におけるナット部材３１の径よりも小径となっている。
【００４２】
Ｃリング６５は、略円形をなすが一部に切れ込みを有し、その径を係止溝６６の径とした場合に拡開する向きの弾性を有する金属製の部材である。
【００４３】
ナット部材３１は、その内周面４５に継ぎ手１５を内嵌され、継ぎ手１５に固定されるようになっている。
【００４４】
このような構成の止水栓３０を組み立てる場合において、ナット部材３１と止水栓本体３２とを一体化するときには、溝部７７にＣリング６５を遊嵌させ収容した状態で、ナット部材３１と止水栓本体３２とを相対的に移動させる。
【００４５】
具体的には、止水栓本体３２をナット部材３１に対して相対的に方向Ｂに移動するように動かしたり、ナット部材３１を止水栓本体３２に対して相対的に方向Ａに移動するように動かしたりして、ナット部材３１を止水栓本体３２に挿入するようにし、これらを互いに嵌合する。
【００４６】
このとき、Ｃリング６５は、テーパ部７８により、径が小さくなる向きに付勢され、内面５１内に進入する。ナット部材３１をさらに方向Ａに移動すると、Ｃリング６５がその拡開する向きの弾性により係止溝６６に嵌入し、係止溝６６に嵌合した態様で装着され固定される。
【００４７】
これにより、止水栓本体３２は、第２の段部７４が凸部７１よりも方向Ａにおける上流側に移動することを禁止される。言い換えると、ナット部材３１は、凸部７１が第２の段部７４よりも方向Ａにおける上流側に移動することを禁止される。凸部７１は、凹部７２内を、方向ＡＢにおいて長さｗ２−ｗ１だけ移動することを許容される。止水栓本体３２は、凸部７１によって、ナット部材３１に対する相対移動を規制される。
【００４８】
このようにして、止水栓本体３２は、その内面５１にナット部材３１の外面４１を収容し、第１の段部７３と第２の段部７４との間のみで凸部７１の移動を許容することで、ナット部材３１に長さｗ２−ｗ１のストロークで無段階で滑らかに相対移動可能に支持される。また、内面５１、外面４１が円周面をなすため、ナット部材３１と止水栓本体３２とは、方向ＡＢに沿った軸を中心に相対回転自在である。
【００４９】
このような構成の止水栓３０では、内周面４３、４４、４７によって、給水管１１から接続管１４に通ずる給水路を構成している。
【００５０】
ハンドル６３を回動操作すると、スピンドル５８が一体で回転し、スピンドル５８に螺合している止水弁体５３を方向ＡＢに変位させる。このとき、弁座パッキン５４により、内周面４５と、内周面４３、４７との連通状態が変化する。
【００５１】
このような動作により、ハンドル６３は、回動操作により止水弁体５３を駆動して給水路を開閉するようになっている。ハンドル６３は、かかる回動操作の際、定位置で回動するものであり、止水栓３０は、いわゆるノンライジング方式の止水栓となっている。したがって、止水栓３０の設置空間としては少なくともナット部材３１と止水栓本体３２との相対移動範囲を確保すればよく、狭い空間でも設置作業および給水量の調整作業を行いやすい構造となっている。
【００５２】
継ぎ手１５は、管状の部材であってその内周面４４内に水を通すようになっている。内周面４５は、ナット部材３１が継ぎ手１５に取付けられ内周面４４、４５が連通した状態で内部に水を通すようになっている。内周面４４、４５は、内周面４３、４７とともに、給水管１１から接続管１４に通ずる給水路を構成している。
【００５３】
接続管１４は、接続部４６に螺合する袋ナット４８をその先端部に有している。接続管１４の本体は、剛性の高い素材で構成されている。これは、便器１０が温水洗浄装置内蔵型であるため、給水時に接続管１４にかかる水圧による負荷が大きいことから、この負荷に耐えるようにするためである。
【００５４】
袋ナット４８の内周面４９は、止水栓本体３２側に向けて拡開するテーパ部５０を有している。よって、袋ナット４８は、接続部４６に螺合しようとする際に接続部４６にスムーズに嵌合し、続いて螺合操作に移行できる。袋ナット４８を接続部４６に螺合し締結すると、接続管１４が止水栓本体３２に固定され、止水栓３０と接続管１４との間が水密となり、漏水が防止される。
【００５５】
したがって、狭い空間でも接続管１４の固定を行ないやすい構造となっている。接続管１４は、便器１０が温水洗浄装置内蔵型であることにより剛性の高い素材によって構成されているため、撓みにくいものとなっているが、止水栓本体３２の動きの自由度が高いことから、接続管１４の固定作業は容易である。しかも、抜け止め手段７０によって止水栓本体３２がナット部材３１から離脱することが防止されているため、設置作業を安心して行える。
【００５６】
以上のような構成の便器装置１００及び便器給水装置２０では、給水管１１を設置した上で、ナット部材３１と止水栓本体３２とを一体化すること等により組み立てられた止水栓３０を取り付け、カバー１２が未装着の状態の便器１０を床面の所定位置に据え付ける。
【００５７】
便器１０側に一端が接続された接続管１４の他端を、袋ナット４８により止水栓本体３２に固定する。このとき、止水栓本体３２を、図４に示した状態から、必要に応じて、適宜、ナット部材３１に対して、方向ＡＢにスライドさせたり、回動させたりして、例えば図５、図６に示した状態とすることで、接続管１４に接続しやすい態位を占めるようにする。
【００５８】
接続管１４の固定後、ハンドル６３を回動して適量の水が便器１０に供給されるように級水路の開閉状態を調整する。カバー１２を装着して隠蔽部１３に便器給水装置２０を隠蔽する。
【００５９】
なお、止水栓３０は、接続管１４が便器１０から側方に延びていること及び接続部４６が方向ＡＢに対して垂直な方向に突設されていることに伴って、方向ＡＢが略鉛直方向に延びる方向となるように設置される。
【００６０】
以上本発明の好ましい実施の形態について説明したが、本発明はかかる特定の実施形態に限定されるものではなく、特許請求の範囲に記載された本発明の要旨の範囲内において、種々の変形・変更が可能である。
【００６１】
例えば、給水管１１の設置形態に応じて、便器給水装置２０の構成態様を変更することが可能である。上記の形態では、給水管１１が床面に設置されているが、図９ないし図１１に示すように、給水管１１が壁面に設置されている場合には、同図に示すように、止水栓３０を、上記の形態と上下逆に取付けるようにする。なお、図９は図２に相当する図であり、図２と同様にカバー１２を取り外した状態を示している。図１０、１１はそれぞれ、図４、５に対応する図である。
【００６２】
この場合も、止水栓３０は、上述の理由により、方向ＡＢが略鉛直方向に延びる方向となるように設置される。これに伴って、継ぎ手１５は、Ｌ字状の形状となっており、一端が壁面から垂直に突設され、他端が略鉛直方向に伸びるようになっている。
【００６３】
なお、給水管１１が壁面に設置されている場合であっても、設置位置が床面に近い場合等、給水管１１の設置位置によっては、止水栓３０は上記の形態と同じ態様で設置することがある。
【００６４】
図９ないし図１１に示した形態では、ナット部材３１に対する止水栓本体３２の方向ＡＢにおけるストロークが、上述の形態に比して長くなっている。このように、かかるストロークは、上述の幅ｗ１、ｗ２を必要に応じて変更することにより、変更可能となっている。
【００６５】
その他、ナット部材３１と止水栓本体３２との相対回転が不要の場合やかかる相対回転を禁止したい場合は、ナット部材３１の外面４１、止水栓本体３２の内面５１を円周面以外の形状とすることができる。
【００６６】
環状の部材は、抜け止めを行うことができるのであれば、Ｃリングに限らず、ゴム等によって形成された環状のパッキン等であっても良い。係止溝は、環状の部材が嵌合しこれを止水栓本体に装着できるものであれば、環状に形成されているものに限らない。
【００６７】
本発明の実施の形態に記載された効果は、本発明から生じる最も好適な効果を列挙したに過ぎず、本発明による効果は、本発明の実施の形態に記載されたものに限定されるものではない。
【図面の簡単な説明】
【００６８】
【図１】本発明を適用した便器装置の外観図であって、（ａ）は斜視図、（ｂ）は側面図である。
【図２】図１に示した便器装置のカバーを取り外した状態を示す外観図であって、（ａ）は斜視図、（ｂ）は側面図である。
【図３】図１に示した便器装置に備えられた便器給水装置の拡大斜視図である。
【図４】図１に示した便器装置に備えられた止水栓であって短縮した状態を示す側断面図である。
【図５】図４に示した止水栓であって伸長した状態を示す側断面図である。
【図６】図１に示した便器装置に備えられ、図５に示した止水栓を備えた便器給水装置の一部破断側断面図である。
【図７】図４に示した止水栓の分解斜視図である。
【図８】図４に示した止水栓に備えられた抜け止め手段の分解拡大側断面図である。
【図９】便器装置のカバーを取り外した状態で別の形態の便器給水装置を示す外観図であって、（ａ）は斜視図、（ｂ）は側面図である。
【図１０】図９に示した便器給水装置に備えられた止水栓であって短縮した状態を示す側断面図である。
【図１１】図１０に示した止水栓であって伸長した状態を示す側断面図である。
【符号の説明】
【００６９】
１０    便器
１３    隠蔽部
１４    接続管
２０    便器給水装置
３０    止水栓
３１    ナット部材
３２    止水栓本体
４１    外面
４８    袋ナット
５０    テーパ部
５１    内面
５３    止水弁体
６３    操作体
６５    環状の部材
６６    係止溝
７０    抜け止め手段
７１    凸部
７２    凹部
７３    第１の段部
７４    第２の段部
７７    溝部
７８    テーパ部
１００    便器装置
Ａ    ナット部材を止水栓本体に進入させる方向
ＡＢ    止水栓本体がナット部材に対して進退する方向
【図１】
2008002157.tif 000003
【図２】
2008002157.tif 000004
【図３】
2008002157.tif 000005
【図４】
2008002157.tif 000006
【図５】
2008002157.tif 000007
【図６】
2008002157.tif 000008
【図７】
2008002157.tif 000009
【図８】
2008002157.tif 000010
【図９】
2008002157.tif 000011
【図１０】
2008002157.tif 000012
【図１１】
2008002157.tif 000013